(57)【要約】【課題】    従来、紐型の定規を内蔵し且つ分度器とコンパスの機能を備えた筆記具はなかった。  本発明の定規、分度器、コンパス機能付き筆記具は１本の筆記具に定規と分度器とコンパスの３種類の機能を付加する事で簡便で機能的な作図を可能とし、且つ持ち運びと管理をし易くすることを課題とする。【解決手段】    上部ハウジング１に光源３と電源４と光源絞り５と投影窓６と反射ドーム７を設けた分度器部８を設け、下部ハウジング２に紐型定規９とボルト１０とナット１１とナット誘導棒１２と反発部１３と固定部１６を設けた定規部１９と、滑り止め２０を有する定規基準部２１と、キャタピラー２２を設けた補助ローラー２３とジョイント２４を設けたペン先開口部２５と、筆記部２６を設け、更に中心点２７と回転部２８と接続部２９を設けたコンパス付属部３０を別途設けたことを特徴とする。【選択図】  図１
2005343157.tif 000002
【特許請求の範囲】
【請求項１】
光源３と電源４と光源絞り５と投影窓６と反射ドーム７を設けた分度器部８と、紐型定規９とボルト１０とナット１１とナット誘導棒１２と反発部１３と固定部１６を設けた定規部１９と、定規基準部２１と、補助ローラー２３とジョイント２４を設けたペン先開口部２５と、筆記部２６を設け、またコンパス付属部３０を別途設けた定規、分度器、コンパス機能付き筆記具。
【請求項２】
紐型定規９とボルト１０とナット１１とナット誘導棒１２と反発部１３と固定部１６を設けた定規部１９と、定規基準部２１と、補助ローラー２３とジョイント２４を設けたペン先開口部２５と、筆記部２６を設け、またコンパス付属部３０を別途設けた定規とコンパス機能付き筆記具。
【請求項３】
紐型定規９とボルト１０とナット１１とナット誘導棒１２と反発部１３と固定部１６を設けた定規部１９と、定規基準部２１と、補助ローラー２３とジョイント２４を設けたペン先開口部２５と、筆記部２６を設けた定規機能付き筆記具。
【請求項４】
光源３と電源４と光源絞り５と投影窓６と反射ドーム７を設けた投影機能付き筆記具。
【発明の詳細な説明】
【技術分野】
【０００１】  本発明は、定規、分度器、コンパスを内蔵した筆記具の技術に関するものである。
【背景技術】
【０００２】  従来、紐型の定規を内蔵し、且つ分度器とコンパスの機能を備えた筆記具はなかった。
【発明の開示】
【発明が解決しようとする課題】
【０００３】  しかしこれには、次のような欠点があった。
（イ）作図において定規と分度器及びコンパスの組み合わせは不可欠であるがそれらが別々になっていたのでどれかひとつを忘れて機能的に使えないと言う不便があった。
（ロ）それぞれをまとめると、かさばった。
【課題を解決するための手段】
【０００４】  上部ハウジング１に光源３と電源４と光源絞り５と投影窓６と反射ドーム７を設けた分度器部８を設け、下部ハウジング２に紐型定規９とボルト１０とナット１１とナット誘導棒１２と反発部１３と固定部１６を設けた定規部１９と、滑り止め２０を有する定規基準部２１と、キャタピラー２２を設けた補助ローラー２３とジョイント２４を設けたペン先開口部２５と、筆記部２６を設ける。  また中心点２７と回転部２８と接続部２９を設けたコンパス付属部３０を別途設ける。
本発明は、以上のような構成よりなる定規、分度器、コンパス機能付き筆記具である。
【発明の効果】
【０００５】  本発明の定規、分度器、コンパス機能付き筆記具は１本の筆記具に定規と分度器とコンパスの３種類の機能を付加しており簡便で機能的な作図が可能となる。  また、これらの機能を１本に集約しているので、この筆記具を忘れない限り学校などで行う作図に支障をきたさないので管理が簡単である。
【発明を実施するための最良の形態】
【０００６】  この発明の一実施形態を図１に示す。
（イ）ＬＥＤ等の光源３と、軽量ボタン型乾電池等の電源４と、光源３を細く絞る光源絞り５と、分度器の尺度を書いた透明な投影窓６と、光源３からの光を反射する反射ドーム７を設けた分度器部８を上部ハウジング１の先端部に設ける。
（ロ）下部ハウジング２の下部の方にゴム等の滑り止め２０を有する定規基準部２１を設け、紐型定規９の片方の端を連結する。  この定規基準部２１は下部ハウジング２から取外し、取付けが自由にできるようにしておく。  紐型定規９が下部ハウジング２から出てくる部分には取出し穴１７を設けその穴の内側には紐型定規９がスムーズに出入り出来るように取出し補助部１８を設ける。  取り出した紐型定規９が地面と平行になるように設計する。
（ハ）下部ハウジング２の先端に指向性のあるキャタピラー２２を設けたペン先を固定する補助ローラー２３とジョイント２４を有するペン先開口部２５を設ける。
（ニ）上記（ロ）の定規基準部２１と（ハ）のペン先開口部２５よりも上部の下部ハウジング２の空洞部分にナイロン等で出来た紐型定規９とボルト１０とナット１１とナット誘導棒１２とボルト１０の芯の部分にコイル型バネ１４等を設けた反発部１３と固定部１６からなる定規部１９を設ける。  コイル型バネ１４の代わりに輪ゴム１５等を代用しても良い。
（ホ）下部ハウジング２の円心部に筆記部２６を設ける。  筆記部２６はシャープペンシルやボールペン、水性ペンなどが考えられる。
（ヘ）またコンパス機能のために、目視で円の中心が確認できるような中心点２７と、潤滑に３６０度回転するための回転部２８と、定規基準部２１と接続が可能な接続部２９を設けたコンパス付属部３０を別途設ける。
本発明は以上のような形態で、（１）定規として物の長さを測る  （２）定規として直線を引く  （３）分度器として角度を持った直線を引く  （４）コンパスとして円を描くという４つの基本機能を有する。  以下にそれぞれの機能の使い方を説明する。
（１）定規として物の長さを測る時は定規基準部２１を下部ハウジング２から取り出し、測りたい対象物の片方の端に定規基準部２１を押し当てて、下部ハウジング２から紐型定規９を取り出して対象物のもう片方の端に紐型定規９をピンと張って押し当てて使う。
（２）定規として直線を引く時は筆記部２６を収納してペン先開口部２５を開き、定規基準部２１を下部ハウジング２から取り出し、直線を引きたい一方の端を決めて紙の上に指で押さえて固定する。  そして長さを確認しながら紐型定規９を下部ハウジング２から引き出してもう一方の直線の端を決めて筆記具を立てる。  そして筆記具側を持つ力を弱めると自動的に紐型定規９が反発部１３の作用により収納される力を利用して定規基準部２１まで移動させることで直線を引くことが出来る。  また補助ローラー２３は筆記具が動く方向に指向性を持たせることでより確実な直線を引くことが出来る。
（３）分度器として角度を持った直線を引く時はまず基準となる直線（基準線）を（２）の要領でひく。  その後、基準線上に任意の点を決めてそこにペン先開口部２５を開けた状態の筆記具を地面に対して垂直に置く。  それから分度器部８の光源３を点灯し、紙に分度器の目盛りを投影表示させる。  筆記具を回転させて分度器の目盛りを基準線に合わせる。  定規基準部２１を求める角度の目盛りに合わせ、再度筆記具を回転させて紐型定規９の取出し穴１７を定規基準部２１の方向に向けてから求める長さの紐型定規９を下部ハウジング２から引っ張り出して基準点を決定し定規基準部２１を固定する。  後は（２）の直線を引く要領で線を引く。
（４）コンパスとして円を描く時はまず定規基準部２１を下部ハウジング２から取り出してコンパス付属部３０を取り付ける。  次に円の中心を決めてコンパス付属部３０を置き、求められる半径の長さまで紐型定規９を取り出して筆記具を立てる。  その後コンパス付属部３０を中心にして筆記具を移動させて円を描く。  コンパスとして使用する時には筆記具はペン先開口部２５を開かず普通の筆記具の状態で使用する。
尚、紐型定規９は目盛り数値を書き込みづらい可能性もあるのでその場合は１０センチ単位で色分けをして５センチ単位で大きな目盛り、１センチ単位で中位の目盛り、１ミリ単位で細かい目盛りにしておけば測り易いと考えられる。  定規部１９のボルト１０の太さと長さを調整することで任意の長さの定規を用意することが出来る。
【図面の簡単な説明】
【０００７】
【図１】本発明の全体を表す説明図である。
【図２】本発明の定規部１９の説明図である。
【図３】本発明の分度器部８の説明図である。
【図４】本発明のコンパス付属部３０の説明図である。
【図５】本発明の補助ローラー２３とペン先開口部２５を横から見た説明図である。
【図６】本発明の補助ローラー２３とペン先開口部２５を先端から見た説明図である。
【図７】本発明の定規基準部２１の下部ハウジング２に収納された状態の説明図である。
【図８】本発明の反発部１３のコイル型バネ１４の説明図である。
【図９】本発明の反発部１３の輪ゴム１５を使った時の説明図である。
【図１０】本発明の直線を引く時の説明図である。
【図１１】本発明の円を描く時の説明図である。
【図１２】本発明の分度器を使う時の説明図である。
【符号の説明】
【０００８】１  上部ハウジング
２  下部ハウジング
３  光源
４  電源
５  光源絞り
６  投影窓
７  反射ドーム
８  分度器部
９  紐型定規
１０ボルト
１１ナット
１２ナット誘導棒
１３反発部
１４コイル型バネ
１５輪ゴム
１６固定部
１７取出し穴
１８取出し補助部
１９定規部
２０滑り止め
２１定規基準部
２２キャタピラー
２３補助ローラー
２４ジョイント
２５ペン先開口部
２６筆記部
２７中心点
２８回転部
２９接続部
３０コンパス付属部
【図１】
2005343157.tif 000003
【図２】
2005343157.tif 000004
【図３】
2005343157.tif 000005
【図４】
2005343157.tif 000006
【図５】
2005343157.tif 000007
【図６】
2005343157.tif 000008
【図７】
2005343157.tif 000009
【図８】
2005343157.tif 000010
【図９】
2005343157.tif 000011
【図１０】
2005343157.tif 000012
【図１１】
2005343157.tif 000013
【図１２】
2005343157.tif 000014